(57)【要約】【課題】帯電部材の本体部を保持する保持部を本体部の両端側にのみ設定する場合において、本体部と像保持体との接触不良を抑制することができる像保持体装置及び画像形成装置を得る。【解決手段】像保持体１２が回転（稼働）すると、制御部６６は、支持部材５０を第一の位置へ移動する。本体部５２は像保持体１２の回転方向の上流側に向けて凸となろうとする。しかし、本体部５２と像保持体１２との間で生じる摩擦力により、本体部５２が、像保持体１２の回転軸方向に沿うように変形する。これにより、本体部５２と像保持体１２との接触不良を抑制することができる。【選択図】図３
2013041174.tif 000002
【特許請求の範囲】
【請求項１】
回転しながら表面に静電潜像が形成される像保持体と、
弾性部材で成形された円柱状の本体部と、前記本体部の両端側を保持する一対の保持部とを備えると共に、前記本体部が前記像保持体の表面に接して前記像保持体に対して従動回転し、前記像保持体の表面を帯電する帯電部材と、
前記本体部が前記像保持体の回転方向の上流側に向けて凸となるように一対の前記保持部を回転可能に支持する支持部材と、
を備える像保持体装置。
【請求項２】
前記支持部材は、前記本体部が前記像保持体の回転方向の上流側に向けて凸となるように前記保持部を支持する第一の位置と、前記本体部が前記像保持体の回転軸方向に沿うように前記保持部を支持する第二の位置との間を移動可能に支持される請求項１に記載の像保持体装置。
【請求項３】
前記支持部材を第一の位置と第二の位置との間を移動させる移動部材と、
前記像保持体が稼働している場合には、前記移動部材を制御して前記支持部材を第一の位置へ移動させ、前記像保持体が停止している場合には、前記移動部材を制御して前記支持部材を第二の位置へ移動させる制御部と、
を備える請求項２に記載の像保持体装置。
【請求項４】
前記支持部材は、第一の位置と第二の位置との間を回転移動することで移動可能とされており、
前記支持部材が第二の位置に配置されるように前記支持部材を付勢する付勢部材が設けられ、
前記像保持体が回転することで前記本体部に作用した力によって前記付勢部材の付勢力に対抗して前記支持部材が第一の位置へ移動するように、前記支持部材を回転可能に支持する回転軸の位置が決められる請求項２に記載の像保持体装置。
【請求項５】
前記帯電部材に対して前記像保持体の回転方向の下流側には、前記本体部の表面に接して前記帯電部材に電圧を印加する給電部材が設けられる請求項１〜４の何れか１項に記載の像保持体装置。
【請求項６】
前記帯電部材に対して前記像保持体の回転方向の下流側には、前記本体部の表面に接して前記本体部を清掃する清掃部材が設けられる請求項１〜４の何れか１項に記載の像保持体装置。
【請求項７】
請求項１〜６の何れか１項に記載された像保持体装置と、
前記像保持体装置に備えられた像保持体の表面に形成された静電潜像をトナー画像として可視化する現像装置と、
を備える画像形成装置。
【発明の詳細な説明】
【技術分野】
【０００１】
本発明は、像保持体装置、及びこれを備えた画像形成装置に関する。
【背景技術】
【０００２】
特許文献１には、回転支軸（保持部）を有しない中空の弾性材からなる帯電ローラ（本体部）を有する帯電装置が記載されている。この帯電ローラは感光体ドラム（像保持体）の表面に接触して感光体ドラムの回転に従動回転する。この帯電ローラの従動回転位置を決めるとともに帯電ローラに給電するための規制部材は、帯電ローラの自由形状より大きな空間を有し、従動回転時に帯電ローラを規制する規制面を有している。
【先行技術文献】
【特許文献】
【０００３】
【特許文献１】特開２０１０−２５８３
【発明の概要】
【発明が解決しようとする課題】
【０００４】
本発明の課題は、帯電部材の本体部を保持する保持部を本体部の両端側にのみ設定する場合において、本体部と像保持体との接触不良を抑制することである。
【課題を解決するための手段】
【０００５】
本発明の請求項１に係る像保持体装置は、回転しながら表面に静電潜像が形成される像保持体と、弾性部材で成形された円柱状の本体部と、前記本体部の両端側を保持する一対の保持部とを備えると共に、前記本体部が前記像保持体の表面に接して前記像保持体に対して従動回転し、前記像保持体の表面を帯電する帯電部材と、前記本体部が前記像保持体の回転方向の上流側に向けて凸となるように一対の前記保持部を回転可能に支持する支持部材と、を備えることを特徴とする。
【０００６】
本発明の請求項２に係る像保持体装置は、請求項１に記載において、前記支持部材は、前記本体部が前記像保持体の回転方向の上流側に向けて凸となるように前記保持部を支持する第一の位置と、前記本体部が前記像保持体の回転軸方向に沿うように前記保持部を支持する第二の位置との間を移動可能に支持されることを特徴とする。
【０００７】
本発明の請求項３に係る像保持体装置は、請求項２に記載において、前記支持部材を第一の位置と第二の位置との間を移動させる移動部材と、前記像保持体が稼働している場合には、前記移動部材を制御して前記支持部材を第一の位置へ移動させ、前記像保持体が停止している場合には、前記移動部材を制御して前記支持部材を第二の位置へ移動させる制御部と、を備えることを特徴とする。
【０００８】
本発明の請求項４に係る像保持体装置は、請求項２に記載において、前記支持部材は、第一の位置と第二の位置との間を回転移動することで移動可能とされており、前記支持部材が第二の位置に配置されるように前記支持部材を付勢する付勢部材が設けられ、前記像保持体が回転することで前記本体部に作用した力によって前記付勢部材の付勢力に対抗して前記支持部材が第一の位置へ移動するように、前記支持部材を回転可能に支持する回転軸の位置が決められることを特徴とする。
【０００９】
本発明の請求項５に係る像保持体装置は、請求項１〜４の何れか１項に記載において、前記帯電部材に対して前記像保持体の回転方向の下流側には、前記本体部の表面に接して前記帯電部材に電圧を印加する給電部材が設けられることを特徴とする。
【００１０】
本発明の請求項６に係る像保持体装置は、請求項１〜４の何れか１項に記載において、前記帯電部材に対して前記像保持体の回転方向の下流側には、前記本体部の表面に接して前記本体部を清掃する清掃部材が設けられることを特徴とする。
【００１１】
本発明の請求項７に係る画像形成装置は、請求項１〜６の何れか１項に記載された像保持体装置と、前記像保持体装置に備えられた像保持体の表面に形成された静電潜像をトナー画像として可視化する現像装置と、を備えることを特徴とする。
【発明の効果】
【００１２】
本発明の請求項１の像保持体装置によれば、支持部材が、帯電部材の本体部を像保持体の回転軸方向に沿うように支持する場合と比して、帯電部材の本体部を保持する保持部を本体部の両端側にのみ設定する場合において、本体部と像保持体との接触不良を抑制することができる。
【００１３】
本発明の請求項２の像保持体装置によれば、支持部材が、本体部が像保持体の回転方向の上流側に向けて凸となるように一対の保持部を常に支持する場合と比して、本体部に歪が生じるのを抑制することができる。
【００１４】
本発明の請求項３の像保持体装置によれば、支持部材を移動させる移動部材が設けられていない場合と比して、移動部材を用いて容易に第一の位置又は第二の位置へ支持部材を移動させることができる。
【００１５】
本発明の請求項４の像保持体装置によれば、像保持体が回転することで本体部に作用した力によって支持部材が第一の位置へ移動するように支持部材を支持する回転軸の位置が決められていない場合と比して、像保持体が稼働している場合には、駆動源を用いることなく、支持部材を第一の位置へ移動させることができる。
【００１６】
本発明の請求項５の像保持体装置によれば、帯電部材に対して像保持体の回転方向の下流側に、本体部の表面に接する給電部材が設けられていない場合と比して、像保持体が稼働している場合に、本体部の変形を抑制することができる。
【００１７】
本発明の請求項６の像保持体装置によれば、帯電部材に対して像保持体の回転方向の下流側に、本体部の表面に接する清掃部材が設けられていない場合と比して、像保持体が稼働している場合に、本体部の変形を抑制することができる。
【００１８】
本発明の請求項７の画像形成装置によれば、請求項１〜６の何れか１項に記載された像保持体装置を備えていない場合と比して、出力画像の品質を向上させることができる。
【図面の簡単な説明】
【００１９】
【図１】本発明の本第１実施形態に係る像保持体ユニットを示した平面図である。
【図２】本発明の本第１実施形態に係る像保持体ユニットを示した平面図である。
【図３】本発明の本第１実施形態に係る像保持体ユニットを示した平面図である。
【図４】本発明の本第１実施形態に係る像保持体ユニットを備えた画像形成装置を示した概略構成図である。
【図５】本発明の本第２実施形態に係る像保持体ユニットを示した平面図である。
【図６】本発明の本第２実施形態に係る像保持体ユニットを示した平面図である。
【図７】本発明の本第２実施形態に係る像保持体ユニットを示した平面図である。
【図８】本発明の本第３実施形態に係る像保持体ユニットを示した側面図である。
【図９】本発明の本第４実施形態に係る像保持体ユニットを示した側面図である。
【発明を実施するための形態】
【００２０】
本発明の第１実施形態の像保持体装置及び画像形成装置の一例について図１〜図４に従って説明する。なお、図中に示す矢印ＵＰは、鉛直方向上方を示す。
【００２１】
（全体構成）
図４に示されるように、画像形成装置１０は、像保持体１２と、像保持体１２の表面を一様に帯電させる帯電部材１４と、画像データに基づいて像保持体１２にレーザー光を照射して静電潜像を形成する露光装置１６と、この静電潜像にトナーを選択的に転移してトナー画像として可視化する現像装置１８と、搬送経路２０に沿って供給される記録媒体としてのシート部材Ｐに像保持体１２の表面のトナー画像を転写する転写ロール２２と、シート部材Ｐ上のトナー画像を加熱・加圧してシート部材Ｐに定着させる定着装置２４と、トナー画像が転写された後の像保持体１２に残留するトナーを清掃するクリーニング装置２６とを備えている。
【００２２】
また、画像形成装置１０は、本体側面カバー１０Ｂ及び天板１０Ａで覆われている。そして、本体側面カバー１０Ｂの上端角部分には、天板１０Ａを回転可能に本体側面カバー１０Ｂに連結する軸１０Ｃが設けられており、天板１０Ａを、軸１０Ｃを中心とて矢印Ａ方向に回転させることで、画像形成装置１０の内部が開放されるようになっている。
【００２３】
ここで、帯電部材１４、クリーニング装置２６及び像保持体１２は像保持体装置の一例としての像保持体ユニット２８として構成されている。そして、画像形成装置１０の天板１０Ａを開放することで、この像保持体ユニット２８は、画像形成装置１０内部の本体フレーム（図示せず）に対して着脱可能となっている。なお、像保持体ユニット２８については詳細を後述する。
【００２４】
また、この画像形成装置１０の側方には、像保持体１２と転写ロール２２とで形成される画像形成部３１に、シート部材Ｐを手差しで供給することができる手差給紙台３２が備えている。この手差給紙台３２には、半月形状の送出ロール３４が設けられている。さらに、送出ロール３４に対してシート部材Ｐを挟んで反対側には、送出されるシート部材Ｐを一枚ずつ分離する分離ロール３６が設けられている。
【００２５】
この分離ロール３６は、両端部に設けられた図示せぬ支持部材に軸支され、さらに、支持部材の内部に設けられたコイルスプリングの付勢力で、送出ロール３４に向って付勢されている。この構成により、送出ロール３４が回転すると手差給紙台３２に載せられたシート部材Ｐが送出ロール３４と分離ロール３６によって一枚ずつ、画像形成部３１に送られるようになっている。
【００２６】
また、この画像形成装置１０内の下側には、シート部材Ｐを一枚ずつ給紙する給紙装置４０が設けられている。給紙装置４０は、シート部材Ｐが複数枚載せられた給紙部材４１を備えており、給紙部材４１に積載されたシート部材Ｐは、取出ロール４２によって順次取り出される。さらに、回転駆動する給紙ロール４４と給紙部材４１に設けられた分離ロール４６によって、シート部材Ｐが一枚ずつ搬送される構成となっている。
【００２７】
さらに、シート部材Ｐの搬送経路２０に沿ってシート部材Ｐを搬送する複数個の搬送ロール４８が設けられており、搬送経路２０に沿ってシート部材Ｐの搬送方向の下流側（以下単に下流側という）へシート部材Ｐが搬送されるようになっている。
【００２８】
また、画像形成部３１の下流側には、前述した定着装置２４が設けられており、この定着装置２４は、加熱ロール２４Ｈと加圧ロール２４Ｎとを備えている。そして、加熱ロール２４Ｈと加圧ロール２４Ｎとの間をシート部材Ｐが通過することで、シート部材Ｐ上のトナー画像がシート部材Ｐに定着させるようになっている。
【００２９】
さらに、定着装置２４の下流側には、トナー画像が定着されたシート部材Ｐを天板１０Ａの上面に排出する排出ロール５６が設けられている。
【００３０】
上記構成による画像形成装置１０では、次のようにして画像が形成される。
【００３１】
まず、電圧が印加された帯電部材１４は、像保持体１２の表面を予定の電位で一様にマイナス帯電する。続いて、図示しないスキャナによって読み取られた画像データ又は外部から入力されたデータに基づいて露光装置１６が帯電された像保持体１２の表面を露光し、像保持体１２の表面に静電潜像を形成する。
【００３２】
つまり、図示しない制御装置から供給されるビデオデータに基づき、露光装置１６のレーザーをオン・オフすることによって画像データに対応した静電潜像が像保持体１２上に形成される。さらに、この静電潜像は、現像装置１８から供給されるトナーによってトナー画像として可視化される。
【００３３】
そこで、給紙部材４１から取出ロール４２によって取り出されたシート部材Ｐが、給紙ロール４４と分離ロール４６とによって一枚ずつ搬送ロール４８に渡されて搬送経路２０に送り出される。搬送経路２０に送り出されたシート部材Ｐは、像保持体１２と転写ロール２２との間に形成された画像形成部３１を通り、トナー画像がシート部材Ｐに転写される。この転写されたトナー画像は、定着装置２４に備えられた加熱ロール２４Ｈと加圧ロール２４Ｎとの間を通過することでシート部材Ｐに定着され，排出ロール５６によって天板１０Ａの上面に排出される。
【００３４】
（要部構成）
次に、像保持体ユニット２８の構成について説明する。
【００３５】
図１には、像保持体ユニット２８の平面視（像保持体１２を鉛直方向上方から見た矢視）が記載されている。図１に示されるように、像保持体ユニット２８は、像保持体１２の表面に接して像保持体１２に対して従動回転し、像保持体１２の表面を一様に帯電させる帯電部材１４と、この帯電部材１４を回転可能に支持する一対の支持部材５０とを備えている。
【００３６】
詳細には、帯電部材１４は、像保持体１２の表面に接すると共に、像保持体１２の回転軸方向に沿って延びる弾性部材（例えばゴム発泡部材）で成形された円柱状の本体部５２を備えている。
【００３７】
さらに、帯電部材１４は、先端側が本体部５２の端面から本体部５２の内部に挿入されて本体部５２の両端側を夫々保持する一対の円柱状の保持部５４を備えている。また、保持部５４を介して本体部５２に電圧を印加するする図示せぬ給電手段が設けられている。
【００３８】
さらに、帯電部材１４の両端側に設けられた一対の支持部材５０は、保持部５４の基端側を回転可能に支持するベアリング５８と、支持部材５０の本体５０Ａを回転可能に支持する軸部材６０とを夫々備えている。
【００３９】
また、軸部材６０の回転軸方向は像保持体１２の回転軸方向に対して直交するように配置されている。この軸部材６０を中心に支持部材５０を回転移動させることで、支持部材５０は、本体部５２が像保持体１２の回転方向の上流側に向けて凸となるように保持部５４を支持する第一の位置（図２参照）と、本体部５２が像保持体１２の回転軸方向に沿うように保持部５４を支持する第二の位置（図１参照）との間を移動可能とされている。
【００４０】
さらに、夫々の支持部材５０を第一の位置と第二の位置との間を移動させる移動部材の一例としてのステッピングモータ６２が夫々設けられている。また、像保持体１２が回転（稼働）している場合には、ステッピングモータ６２を制御して支持部材５０を第一の位置へ移動させ、像保持体１２が停止している場合には、ステッピングモータ６２を制御して支持部材５０を第二の位置へ移動させる制御部６６が設けられている。
【００４１】
（作用）
次に、像保持体ユニットの作用について説明する。
【００４２】
図１に示されるように、像保持体１２が回転していない場合には、制御部６６は、ステッピングモータ６２を制御して、支持部材５０を第二の位置へ配置する（移動する）。第二の位置へ支持部材５０が配置されることで、本体部５２は、像保持体１２の回転軸方向に沿った方向に配置される。
【００４３】
一方、図２に示されるように、像保持体１２が回転（稼働）すると、制御部６６は、ステッピングモータ６２を制御して、支持部材５０を第一の位置へ移動する。第一の位置へ支持部材５０が移動することで、本体部５２は像保持体１２の回転方向（図中矢印Ｃ）の上流側に向けて凸となろうとする。
【００４４】
しかし、図３に示されるように、像保持体１２の外表面に接する本体部５２には、回転する像保持体１２との間に摩擦力が生じる。この摩擦力により、像保持体１２の回転方向の上流側に凸となるように変形しようとした本体部５２はさらに変形する。詳細には、この摩擦力により、像保持体１２における画像形成範囲（図中範囲Ｄ）に接している本体部５２が、像保持体１２の回転軸方向に沿うように変形する。
【００４５】
像保持体１２における画像形成範囲（図中範囲Ｄ）における本体部５２が、像保持体１２の回転軸方向に沿うように変形した状態で、帯電部材１４は像保持体１２に対して従動回転し、像保持体１２における画像形成範囲（図中範囲Ｄ）を一様に帯電する。
【００４６】
像保持体１２の回転が停止すると、図１に示されるように、制御部６６は、ステッピングモータ６２を制御して、支持部材５０を第二の位置へ移動する。第二の位置へ支持部材５０が移動することで、本体部５２は、像保持体１２の回転軸方向に沿うように配置される。
【００４７】
以上説明したように、像保持体１２が回転すると、支持部材５０を第一の位置へ移動させ、像保持体１２との間に摩擦力により、像保持体１２における画像形成範囲（図中範囲Ｄ）に接している本体部５２を、像保持体１２の回転軸方向に沿うように変形させる。これにより、本体部５２と像保持体１２との接触不良が抑制される。
【００４８】
また、本体部５２と像保持体１２との接触不良が抑制されるため、像保持体１２の帯電不良が抑制される。
【００４９】
また、像保持体１２の回転が停止している状態では、支持部材５０を第二の位置へ移動することで、本体部５２が、像保持体１２の回転軸方向に沿うように配置される。このため、本体部５２に永久歪が生じるのが抑制される。
【００５０】
また、保持部５４が、本体部５２の両端側にのみ設けられているため、本体部の長手方向に沿って全体に保持部が設けられる構成と比して、安価となる。
【００５１】
＜第２実施形態＞
次に、本発明の第２実施形態に係る像保持体装置及び画像形成装置の一例について図５〜図７に従って説明する。なお、第１実施形態と同一部材については、同一符号を付してその説明を省略する。
【００５２】
図５に示されるように、第２実施形態に係る像保持ユニット７０には、ステッピングモータ及びこれを制御する制御部は設けられていない。これに替えて、支持部材７２を第二の位置に配置するように支持部材７２を付勢する付勢部材の一例としてのバネ部材７４が設けられている。
【００５３】
さらに、像保持体１２が回転することで本体部５２に作用した力（摩擦力）によって支持部材７２が第一の位置へ移動するように、支持部材７２の本体７２Ａを支持する回転軸７６の位置が決められている。
【００５４】
詳細には、平面視で、回転軸７６は、ベアリング５８に対して像保持体１２の回転方向の上流側に設けられている。さらに、支持部材７２が第二の位置に配置された状態（図５参照）で、回転軸７６と、支持部材７２に固定される引張状態のバネ部材７４の一端と、フレーム部材７８に固定されるバネ部材７４の他端は、平面視で、直線上に配置されている。
【００５５】
図６に示されるように、この構成により、像保持体１２が回転すると、像保持体１２との間で生じる摩擦力より、本体部５２が像保持体１２の回転方向下流側に凸となる。なお、支持部材７２については、回転軸７６を中心に回転しようとするが、支持部材７２は図示せぬストッパに当たり第二の位置に配置された状態から移動しない。
【００５６】
本体部５２が凸となるように変形することで、一対の保持部５４には、保持部５４の軸方向（図中矢印Ｆ）に保持部５４を引っ張る引張力が作用する。
【００５７】
図７に示されるように、保持部５４に引張力が作用することで、支持部材７２は、バネ部材７４の付勢力に対抗して回転軸７６を中心に矢印Ｇ方向に回転し、第一の位置へ移動する。さらに、回転する像保持体１２と本体部５２との間に生じた摩擦力により、像保持体１２における画像形成範囲（図中範囲Ｄ）に接している本体部５２が、像保持体１２の回転軸方向に沿うように変形する。
【００５８】
図５に示されるように、像保持体１２の回転が停止すると、バネ部材７４の付勢力により、支持部材５０を第二の位置へ移動する。
【００５９】
以上説明したように、駆動源を用いることなく、支持部材７２が第二の位置から第一の位置へ移動する。
【００６０】
なお、他の作用については、第１実施形態と同様とする。
＜第３実施形態＞
次に、本発明の第３実施形態に係る像保持体装置及び画像形成装置の一例について図８に従って説明する。なお、第１実施形態と同一部材については、同一符号を付してその説明を省略する。
【００６１】
図８に示されるように、第３実施形態に係る帯電部材１４に対して像保持体１２の回転方向の下流側には、本体部５２の表面に接して帯電部材１４に電圧を補助的に印加する給電部材の一例としての補助給電部材９２が配置されている。
【００６２】
詳細には、補助給電部材９２は、像保持体１２の回転軸方向に沿って延び、長手方向に直交する断面が矩形状とされている。これにより、像保持体１２が稼働する場合に、像保持体１２の回転方向下流側に変形しようとした本体部５２が補助給電部材９２と当るため、本体部５２が像保持体１２の回転方向の下流側に過度に変形するのが抑制される。
【００６３】
また、像保持体１２が回転する場合に、変形した本体部５２が補助給電部材９２と当るため、帯電部材１４への給電不良が抑制される。
【００６４】
なお、他の作用については、第１実施形態と同様とする。
＜第４実施形態＞
次に、本発明の第４実施形態に係る像保持体装置及び画像形成装置の一例について図９に従って説明する。なお、第１実施形態と同一部材については、同一符号を付してその説明を省略する。
【００６５】
図９に示されるように、第４実施形態に係る帯電部材１４に対して像保持体１２の回転方向の下流側には、本体部５２の表面に接して本体部５２と従動回転しながら本体部５２を清掃する円柱状の清掃部材９８が設けられている。
【００６６】
これにより、像保持体１２が回転する場合に、変形した本体部５２が清掃部材９８と当るため、本体部５２が像保持体１２の回転方向の下流側に過度に変形するのが抑制される。
【００６７】
なお、他の作用については、第１実施形態と同様とする。
【００６８】
また、本発明を特定の実施形態について詳細に説明したが、本発明は係る実施形態に限定されるものではなく、本発明の範囲内にて他の種々の実施形態が可能であることは当業者にとって明らかである。例えば、上記第２実施形態では、バネ部材７４の付勢力によって支持部材７２を第二の位置へ移動させたが、バネ部材７４を用いず、本体部の復元力によって支持部材を第二の位置へ移動させてもよい。
【００６９】
また、上記第３実施形態では、帯電部材１４に対して像保持体１２の回転方向の下流側に、帯電部材１４に電圧を補助的に印加する補助給電部材９２を例にとって説明したが、補助的なものではなく正規の給電部材を帯電部材に対して像保持体の回転方向の下流側に設けてもよい。
【００７０】
また、上記実施形態では、特に説明しなかったが、像保持体を逆方向に回転させる場合に、本体部が像保持体の回転方向（正規の回転方向）の下流側に向けて凸となるように支持部材が保持部を支持してもよい。
【００７１】
また、上記第３、第４実施形態では、特に説明しなかったが、本体部５２と補助給電部材９２又は清掃部材９８との隙については、予め隙を設けても良く、本体部５２が像保持体１２の回転軸方向に沿った状態で隙が無い設定にしてもよい。
【符号の説明】
【００７２】
１０        画像形成装置
１２        像保持体
１４        帯電部材
２８        像保持体ユニット（像保持体装置の一例）
５０        支持部材
５２        本体部
５４        保持部
６２        ステッピングモータ（移動部材の一例）
６６        制御部
７２        支持部材
７６        回転軸
９２        補助給電部材（給電部材の一例）
９８        清掃部材
【図１】
2013041174.tif 000003
【図２】
2013041174.tif 000004
【図３】
2013041174.tif 000005
【図４】
2013041174.tif 000006
【図５】
2013041174.tif 000007
【図６】
2013041174.tif 000008
【図７】
2013041174.tif 000009
【図８】
2013041174.tif 000010
【図９】
2013041174.tif 000011